(57)【要約】【課題】希ガス貯留タンクに貯留された放射性希ガスの大気への放出の防止を図った格納容器保全設備を提供すること。【解決手段】希ガスを貯留する第一貯留タンク１１Ｂと、凝縮水を貯留する第二貯留タンク２１Ｂと、第一貯留タンク１１Ｂの内圧が所定値以上に上昇した際に開弁する圧力逃がし弁３２Ａと、圧力逃がし弁３２Ａに接続される圧力逃がし配管３２Ｂと、圧力逃がし配管３２Ｂの出口としての噴出配管３２Ｃとを備え、この噴出配管３２Ｃを第二貯留タンク２１Ｂの内部に設けた。【選択図】図１０
2018169250.tif 000002
【特許請求の範囲】
【請求項１】
炉心を収容する原子炉圧力容器を気密状態で格納する格納容器の内部のガスから放射性よう素や粒子状の放射性物質を除去するフィルタユニットと、
前記フィルタユニットに接続されて前記格納容器の外部に引き出されて設けられた排気配管と、
前記格納容器の外部で前記排気配管に接続され、前記ガス中の放射性希ガスを貯留する希ガス貯留タンクと、
前記希ガス貯留タンクと並列して前記格納容器の外部で前記排気配管に接続され、前記ガス中の蒸気を凝縮させた凝縮水を貯留する凝縮水貯留タンクと、
前記フィルタユニットを通過したガスの送り先を前記希ガス貯留タンクまたは前記凝縮水貯留タンクに切り換える切換部と、
前記希ガス貯留タンクに設けられ、該希ガス貯留タンクの内圧が所定値以上に上昇した際に開弁する圧力逃がし弁と、
前記圧力逃がし弁に接続される圧力逃がし配管と、を備え、
前記圧力逃がし配管の出口を凝縮水貯留タンクに接続した格納容器保全設備。
【請求項２】
前記圧力逃がし配管の出口は、前記凝縮水貯留タンクに貯留された前記凝縮水の液相に設けられる請求項１に記載の格納容器保全設備。
【請求項３】
前記凝縮水貯留タンクの内部に前記ガスを分散させて導入するガス導入部を備え、
前記圧力逃がし配管の出口は、前記切換部と前記ガス導入部との間における前記排気配管に接続される請求項１または２に記載の格納容器保全設備。
【請求項４】
前記凝縮水貯留タンクは、該凝縮水貯留タンクの内圧が所定値以上に上昇した際に開弁する圧力逃がし弁を備える請求項１から３のいずれか一項に記載の格納容器保全設備。
【請求項５】
前記凝縮水貯留タンクの圧力逃がし弁の下流側には、前記放射性希ガスを吸着する吸着部が設けられている請求項４に記載の格納容器保全設備。
【発明の詳細な説明】
【技術分野】
【０００１】
本発明は、原子炉圧力容器を格納する格納容器の安全を確保するための格納容器保全設備に関する。
【背景技術】
【０００２】
従来、原子力設備（原子力プラント）におけるシビアアクシデントを想定した対策として、原子力設備のベントと、水素および放射性物質の封じ込めシステムが知られている（例えば、特許文献１参照）。このシステムでは、格納容器に故障または事故時に圧力を逃がすためのベント配管が接続され、このベント配管には、ベント流に含まれている水素を酸素により蒸気に転換する触媒式再結合器と、ベント流からエアロゾルを分離するための湿式洗浄機または乾式フィルタと、ベント流に含まれている放射性希ガスを封じ込める複数の吸着塔とが接続されている。そして、吸着塔の少なくとも１つをベント流から切り離してフラッシング運転をし、吸着塔に蓄積された放射性希ガスがフラッシング媒体により格納容器にフィードバックされる技術が開示されている。
【０００３】
特許文献１の発明は、フラッシング運転により、吸着塔に蓄積された放射性希ガスを格納容器にフィードバックしているため、事故等のあった格納容器の原子炉を廃炉にする場合、格納容器に放射性希ガスが存在することにより、廃炉作業を妨げるといった問題がある。
【先行技術文献】
【特許文献】
【０００４】
【特許文献１】特表２０１６−５２１８４３号公報
【発明の概要】
【発明が解決しようとする課題】
【０００５】
上記した問題を解消するために、格納容器の外部に排気配管を介して格納容器と連結された希ガス貯留タンクを設け、この希ガス貯留タンク内に放射性希ガスを該格納容器とは別に封じ込めて貯留する構成が想定される。
【０００６】
しかし、この種の希ガス貯留タンクは、いわゆる圧力タンクであるため、過圧防止の対策として、該タンクに安全弁（圧力逃がし弁）を設けることが一般的である。このため、希ガス貯留タンクの内圧の急激な上昇により安全弁が作動した場合であっても、希ガス貯留タンクに貯留された放射性希ガスの大気への放出を防止することが要求される。
【０００７】
本発明は上述した課題を解決するものであり、希ガス貯留タンクに貯留された放射性希ガスの大気への放出の防止を図った格納容器保全設備を提供することを目的とする。
【課題を解決するための手段】
【０００８】
上述の目的を達成するために、本発明の一態様に係る格納容器保全設備は、炉心を収容する原子炉圧力容器を気密状態で格納する格納容器の内部のガスから放射性よう素や粒子状の放射性物質を除去するフィルタユニットと、フィルタユニットに接続されて格納容器の外部に引き出されて設けられた排気配管と、格納容器の外部で排気配管に接続され、ガス中の放射性希ガスを貯留する希ガス貯留タンクと、希ガス貯留タンクと並列して格納容器の外部で排気配管に接続され、ガス中の蒸気を凝縮させた凝縮水を貯留する凝縮水貯留タンクと、フィルタユニットを通過したガスの送り先を希ガス貯留タンクまたは凝縮水貯留タンクに切り換える切換部と、希ガス貯留タンクに設けられ、該希ガス貯留タンクの内圧が所定値以上に上昇した際に開弁する圧力逃がし弁と、圧力逃がし弁に接続される圧力逃がし配管と、を備え、圧力逃がし配管の出口を凝縮水貯留タンクに接続したものである。
【０００９】
この構成によれば、希ガス貯留タンクには、該希ガス貯留タンクの内圧が所定値以上に上昇した際に開弁する圧力逃がし弁と、圧力逃がし弁に接続される圧力逃がし配管と、を備え、この圧力逃がし配管の出口を凝縮水貯留タンクに接続しているため、希ガス貯留タンクの内圧が上昇して圧力逃がし弁が開弁した場合であっても、希ガス貯留タンクから排出された放射性希ガスを含むガスは、圧力逃がし配管を通じて、凝縮水貯留タンクに流入される。従って、放射性希ガスが大気に放出されることを防止できる。この場合、希ガス貯留タンクに放射性希ガスが貯留される際、凝縮水貯留タンクには、フィルタユニットを通過したガスは流入しておらず、凝縮水貯留タンク内は大気圧となっているため、希ガス貯留タンクから排出された放射性希ガスを含むガスを受け入れることができる。
【００１０】
この構成において、圧力逃がし配管の出口は、凝縮水貯留タンクに貯留された凝縮水の液相に設けられることが好ましい。この構成によれば、凝縮水貯留タンクに放射性希ガスを含むガスが流入した際に、この流入したガスの圧力を貯留された凝縮水の静水頭で吸収することができる。さらに、凝縮水貯留タンク内の気相が圧力緩衝作用を生じることにより、流入したガスによる圧力変動を抑制できる。
【００１１】
また、格納容器保全設備は、凝縮水貯留タンクの内部にガスを分散させて導入するガス導入部を備え、圧力逃がし配管の出口は、切換部とガス導入部との間における排気配管に接続されてもよい。この構成によれば、フィルタユニットを通過したガス、及び、希ガス貯留タンクから排出された放射性希ガスを含むガスを、凝縮水貯留タンク内に導入する際に、ガス導入部を共通化することができる。このため、格納容器保全設備の装置構成の簡素化を実現できる。
【００１２】
また、凝縮水貯留タンクは、該凝縮水貯留タンクの内圧が所定値以上に上昇した際に開弁する圧力逃がし弁を備えてもよい。この構成によれば、凝縮水貯留タンクの内圧が急激に上昇しても該凝縮水貯留タンクの破損を防止できる。
【００１３】
また、凝縮水貯留タンクの圧力逃がし弁の下流側には、放射性希ガスを吸着する吸着部が設けられてもよい。この構成によれば、凝縮水貯留タンクに放射性希ガスを含むガスが流入したことに伴い、凝縮水貯留タンクの圧力逃がし弁が開弁した場合であっても、凝縮水貯留タンクから排出される放射性希ガスは、吸着部によって吸着されるため、該放射性希ガスが大気に放出されることを防止できる。
【発明の効果】
【００１４】
本発明によれば、希ガス貯留タンクから排出された放射性希ガスを含むガスは、圧力逃がし配管を通じて、凝縮水貯留タンクに流入されるため、放射性希ガスが大気に放出されることを防止できる。
【図面の簡単な説明】
【００１５】
【図１】図１は、本発明の実施形態に係る格納容器保全設備の構成図である。
【図２】図２は、本発明の実施形態に係る格納容器保全設備の制御系のブロック図である。
【図３】図３は、本発明の実施形態に係る格納容器保全設備の動作図である。
【図４】図４は、本発明の実施形態に係る格納容器保全設備の動作図である。
【図５】図５は、本発明の実施形態に係る格納容器保全設備の動作図である。
【図６】図６は、本発明の実施形態に係る格納容器保全設備の動作図である。
【図７】図７は、本発明の実施形態に係る格納容器保全設備の動作図である。
【図８】図８は、本発明の実施形態に係る格納容器保全設備の動作図である。
【図９】図９は、本発明の実施形態に係る格納容器保全設備の動作図である。
【図１０】図１０は、第一貯留タンクの内圧が許容上限圧力値を超えた場合の動作を説明する図である。
【図１１】図１１は、第二貯留タンクの内圧が許容上限圧力値を超えた場合の動作を説明する図である。
【図１２】図１２は、変形例に係る第一貯留タンクと第二貯留タンクの内部構造を示す図である。
【図１３】図１３は、本発明の実施形態に係る格納容器保全設備における第一貯留部の容量を設定するための説明図である。
【図１４】図１４は、本発明の実施形態に係る格納容器保全設備における第一貯留部の容量を設定するためのグラフである。
【発明を実施するための形態】
【００１６】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１７】
図１は、本実施形態に係る格納容器保全設備の構成図である。図１において、格納容器１００は、原子力設備において、炉心である複数の燃料集合体を密閉状態で収容する原子炉圧力容器１０１を格納するものである。原子力設備では、原子炉圧力容器１０１にて加熱された高温・高圧の水の熱を利用して水蒸気（以下、単に蒸気と記載する）を発生させ、この蒸気で格納容器１００の外部に設けられた蒸気タービンを駆動して発電に供する。格納容器１００は、岩盤などの堅固な地盤上に立設され、鉄筋コンクリートなどにより堅牢に形成されていることで、内部に所定容量の凝縮性ガスである蒸気および空気、放射性希ガスなどの非凝縮性ガスを含むガスを所定圧力の範囲で封じ込めることが可能に構成されている。
【００１８】
本実施形態の格納容器保全設備５０は、炉心が損傷して原子炉圧力容器１０１から溶融炉心が流出する過酷事象であるシビアアクシデント時において格納容器１００の安全を確保するものである。格納容器保全設備５０は、格納容器圧力検出部１と、フィルタユニット２と、排気配管３と、第一貯留部（希ガス貯留部）１１と、第一冷却部１２と、第一凝縮水送出部１３と、第一貯留部水位検出部１４と、第一貯留部圧力検出部１５と、第二貯留部（凝縮水貯留部）２１と、第二冷却部２２と、第二凝縮水送出部２３と、第二貯留部水位検出部２４と、第二貯留部圧力検出部２５と、排気部３１と、第一貯留部圧力排出部３２と、第二貯留部圧力排出部３３と、吸着部３４と、を有する。
【００１９】
フィルタユニット２は、本実施形態において格納容器１００の内部に設けられている。フィルタユニット２は、ガスに含まれる放射性よう素や粒子状の放射性物質を捕捉するフィルタがケーシングの内部に設けられている。このフィルタユニット２は、ケーシングの内部に格納容器１００の内部のガスを通過させることで、フィルタによりガス中の放射性よう素や粒子状の放射性物質を除去する。ただし、キセノン（Ｘｅ）やクリプトン（Ｋｒ）のような放射性希ガス、蒸気や空気はフィルタで捕捉できないためケーシングを通過する。従って、フィルタユニット２は、放射性よう素や粒子状の放射性物質を捕捉して除去する一方で、凝縮性ガスである蒸気および空気、放射性希ガスなどの非凝縮性ガスを含むガスを通過させる。
【００２０】
排気配管３は、フィルタユニット２に接続され、端部が格納容器１００の外部に引き出されて設けられている。排気配管３は、その途中に、格納容器１００の内部において排気開閉弁３Ａが設けられていると共に、格納容器１００の外部に引き出された部分において排気開閉弁３Ｂが設けられている。排気開閉弁３Ａ，３Ｂは、開動作により排気配管３を開放し、閉動作により排気配管３を閉塞する。また、排気開閉弁３Ａ，３Ｂは、自動弁であり、開信号の入力により開動作する一方、閉信号の入力により閉動作する。従って、排気開閉弁３Ａ，３Ｂが開動作して排気配管３が開放されることで、格納容器１００の内部のガスはフィルタユニット２を経て格納容器１００の外部に排出される。また、排気開閉弁３Ａ，３Ｂのいずれかが閉動作して排気配管３が閉塞されることで、格納容器１００の内部のガスは格納容器１００の外部に排出されず留まる。排気開閉弁３Ａ，３Ｂは、格納容器１００を内部および外部から隔離する隔離弁として機能する。
【００２１】
第一貯留部１１は、フィルタユニット２を通過したガスに含まれる放射性希ガスや空気などの非凝縮性ガスを貯留する。第一貯留部１１は、第一貯留配管１１Ａと、第一貯留タンク（希ガス貯留タンク）１１Ｂと、第一貯留開閉弁１１Ｃと、を有している。
【００２２】
第一貯留配管１１Ａは、排気配管３が格納容器１００の外部に引き出された端部に接続されている。第一貯留配管１１Ａの終端は、第一貯留タンク１１Ｂに接続されている。第一貯留タンク１１Ｂは、容量が変化することのない密閉容器である。
【００２３】
第一貯留開閉弁１１Ｃは、第一貯留配管１１Ａの途中に設けられ、開動作により第一貯留配管１１Ａを開放し、閉動作により第一貯留配管１１Ａを閉塞する。また、第一貯留開閉弁１１Ｃは、自動弁であり、開信号の入力により開動作する一方、閉信号の入力により閉動作する。また、第一貯留開閉弁１１Ｃは、自動弁ではなくてもよい。従って、第一貯留開閉弁１１Ｃが開動作して第一貯留配管１１Ａが開放されることで、排気配管３を介して格納容器１００の内部から排出されたガスが第一貯留タンク１１Ｂに送られる。また、第一貯留開閉弁１１Ｃが閉動作して第一貯留配管１１Ａが閉塞されることで、排気配管３を介して格納容器１００の内部から排出されたガスは第一貯留タンク１１Ｂには送られない。
【００２４】
第一冷却部１２は、第一貯留タンク１１Ｂ内に流入したガスを冷却して該ガスに含まれる蒸気（凝縮性ガス）を凝縮させるものである。第一冷却部１２は、循環配管１２Ａと、熱交換器１２Ｂと、冷却ポンプ１２Ｃと、散水機（散水部）１２Ｄと、第一冷却開閉弁１２Ｅ，１２Ｆと、を有している。
【００２５】
循環配管１２Ａは、一端が第一貯留タンク１１Ｂの下部にて第一貯留タンク１１Ｂの内部に接続され、他端が第一貯留タンク１１Ｂの上部にて第一貯留タンク１１Ｂの内部に接続されて、第一貯留タンク１１Ｂを含みループ状に設けられている。
【００２６】
熱交換器１２Ｂは、循環配管１２Ａの途中に設けられており、冷却水が供給されるケーシングの内部に循環配管１２Ａの途中に介在された伝熱管が設けられている。熱交換器１２Ｂに供給される冷却水は、例えば、海水や湖水などがあり、図示しない冷却水供給ポンプにより供給されてケーシングの内部を経て海や湖に戻される。なお、熱交換器１２Ｂと熱交換器１２Ｂに供給される冷却水の間に中間冷却のための熱交換器を介在させてもよい。中間冷却のための熱交換器に供給される冷却水は例えば純水などがある。
【００２７】
冷却ポンプ１２Ｃは、循環配管１２Ａの途中に設けられており、第一貯留タンク１１Ｂの下部に貯留された流体を循環配管１２Ａにより熱交換器１２Ｂを経由して第一貯留タンク１１Ｂの上部に戻す。従って、第一貯留タンク１１Ｂの下部に貯留された流体は、冷却ポンプ１２Ｃにより循環配管１２Ａに送られて熱交換器１２Ｂを経由して冷却され第一貯留タンク１１Ｂの上部に戻される。
【００２８】
散水機１２Ｄは、いわゆるシャワーであって、第一貯留タンク１１Ｂの内部の上部に設けられて循環配管１２Ａの他端に接続されている。従って、冷却ポンプ１２Ｃにより循環配管１２Ａに送られて第一貯留タンク１１Ｂの上部に戻された流体は、散水機１２Ｄにより第一貯留タンク１１Ｂの下部に向けて散水される。上述したように、第一貯留タンク１１Ｂには、ガス導入部を通じて、格納容器１００の内部のガスに含まれる蒸気が送られる。従って、蒸気は、散水機１２Ｄにより散水された流体により凝縮されて凝縮水となる。この凝縮水は、第一貯留タンク１１Ｂの下部に溜められ、冷却ポンプ１２Ｃにより循環配管１２Ａに送られて熱交換器１２Ｂを経由して冷却され第一貯留タンク１１Ｂの上部に戻される冷却用の流体となる。また、流入した蒸気が凝縮されることにより、第一貯留タンク１１Ｂ内には、冷却によって凝縮されない非凝縮性ガスである放射性希ガスと空気とが貯留される。
【００２９】
第一冷却開閉弁１２Ｅは、循環配管１２Ａにおいて熱交換器１２Ｂよりも他端側（下流側；第一貯留タンク１１Ｂの上部側）に設けられている。また、第一冷却開閉弁１２Ｆは、循環配管１２Ａにおいて冷却ポンプ１２Ｃよりも一端側（上流側；第一貯留タンク１１Ｂの下部側）に設けられている。これら、第一冷却開閉弁１２Ｅ，１２Ｆは、開動作により循環配管１２Ａを開放し、閉動作により循環配管１２Ａを閉塞する。また、第一冷却開閉弁１２Ｅ，１２Ｆは、自動弁であり、開信号の入力により開動作する一方、閉信号の入力により閉動作する。また、第一冷却開閉弁１２Ｅ，１２Ｆは、自動弁ではなくてもよい。従って、第一冷却開閉弁１２Ｅ，１２Ｆが開動作して循環配管１２Ａが開放されることで、循環配管１２Ａを介して第一貯留タンク１１Ｂの内部の凝縮水が循環されつつ熱交換器１２Ｂにより冷却される。また、第一冷却開閉弁１２Ｅ，１２Ｆが閉動作して循環配管１２Ａが閉塞されることで、第一貯留タンク１１Ｂの内部の凝縮水は循環や冷却されない。また、第一冷却開閉弁１２Ｅは、熱交換器１２Ｂと第一貯留タンク１１Ｂの上部との間で循環配管１２Ａを開放または閉塞する。また、第一冷却開閉弁１２Ｆは、第一貯留タンク１１Ｂの下部と冷却ポンプ１２Ｃとの間で循環配管１２Ａを開放または閉塞する。
【００３０】
第一凝縮水送出部１３は、送出配管１３Ａと、送出ポンプ１３Ｂと、送出開閉弁１３Ｃ，１３Ｄと、逆止弁１３Ｅと、を有する。送出配管１３Ａは、一端が第一貯留タンク１１Ｂの下部にて第一貯留タンク１１Ｂの内部に接続され、他端が格納容器１００の内部に至り設けられている。
【００３１】
送出ポンプ１３Ｂは、送出配管１３Ａの途中に設けられており、第一貯留タンク１１Ｂの下部に貯留された凝縮水を送出配管１３Ａにより格納容器１００の内部に送り出す。送出開閉弁１３Ｃは、送出配管１３Ａにおいて送出ポンプ１３Ｂよりも一端側（第一貯留タンク１１Ｂ側）に設けられている。また、送出開閉弁１３Ｄは、送出配管１３Ａにおいて送出ポンプ１３Ｂよりも他端側（格納容器１００側）であって格納容器１００の外部に並んで設けられている。これら、送出開閉弁１３Ｃ，１３Ｄは、開動作により送出配管１３Ａを開放し、閉動作により送出配管１３Ａを閉塞する。また、送出開閉弁１３Ｃ，１３Ｄは、自動弁であり、開信号の入力により開動作する一方、閉信号の入力により閉動作する。また、送出開閉弁１３Ｃは、自動弁ではなくてもよい。従って、送出開閉弁１３Ｃ，１３Ｄが開動作して送出配管１３Ａが開放されることで、送出配管１３Ａを介して第一貯留タンク１１Ｂの内部の凝縮水が格納容器１００に送り出される。また、送出開閉弁１３Ｃ，１３Ｄのいずれか１つが閉動作して送出配管１３Ａが閉塞されることで、第一貯留タンク１１Ｂの内部の凝縮水は格納容器１００に送り出されない。送出開閉弁１３Ｃは、第一貯留タンク１１Ｂの下部と送出ポンプ１３Ｂとの間で送出配管１３Ａを開放または閉塞する。また、送出開閉弁１３Ｄは、送出ポンプ１３Ｂと格納容器１００との間で送出配管１３Ａを開放または閉塞する。送出開閉弁１３Ｄは、最も格納容器１００寄りに設けられて格納容器１００を外部から隔離する隔離弁として機能する。
【００３２】
逆止弁１３Ｅは、格納容器１００の内部において送出配管１３Ａの他端に接続されている。逆止弁１３Ｅは、送出配管１３Ａの他端から格納容器１００の内部に送り出される凝縮水を格納容器１００の内部に流出させるが、格納容器１００の内部の流体を送出配管１３Ａの他端から格納容器１００の外部に漏らさない。従って、逆止弁１３Ｅは、格納容器１００を内部から隔離する隔離弁として機能する。
【００３３】
第一貯留部水位検出部１４は、第一貯留部１１における第一貯留タンク１１Ｂに貯留される凝縮水の水位を検出する。第一貯留部圧力検出部１５は、第一貯留部１１における第一貯留タンク１１Ｂの内部の圧力を検出する。
【００３４】
第二貯留部２１は、格納容器１００に対して、第一貯留部１１と並列に設けられ、第一貯留部１１の第一貯留タンク１１Ｂに放射性希ガスの全量が貯留された後に、格納容器１００内のガスを受け入れ、このガスに含まれる蒸気を凝縮した凝縮水を貯留するものである。第二貯留部２１は、第二貯留配管２１Ａと、第二貯留タンク（凝縮水貯留タンク）２１Ｂと、第二貯留開閉弁２１Ｃと、を有している。
【００３５】
第二貯留配管２１Ａは、排気配管３が格納容器１００の外部に引き出された端部に対し、第一貯留部１１における第一貯留配管１１Ａと並列に接続されている。すなわち、第二貯留配管２１Ａは、排気配管３が格納容器１００の外部に引き出された端部に対し、第一貯留配管１１Ａと分岐して接続されている。
【００３６】
第二貯留タンク２１Ｂは、第二貯留配管２１Ａの終端が接続されている。第二貯留タンク２１Ｂは、容量が変化することのない密閉容器である。
【００３７】
第二貯留開閉弁２１Ｃは、第二貯留配管２１Ａの途中に設けられ、開動作により第二貯留配管２１Ａを開放し、閉動作により第二貯留配管２１Ａを閉塞する。また、第二貯留開閉弁２１Ｃは、自動弁であり、開信号の入力により開動作する一方、閉信号の入力により閉動作する。また、第二貯留開閉弁２１Ｃは、自動弁ではなくてもよい。従って、第二貯留開閉弁２１Ｃが開動作して第二貯留配管２１Ａが開放されることで、排気配管３を介して格納容器１００の内部から排出されたガスが第二貯留タンク２１Ｂに送られる。また、第二貯留開閉弁２１Ｃが閉動作して第二貯留配管２１Ａが閉塞されることで、排気配管３を介して格納容器１００の内部から排出されたガスは第二貯留タンク２１Ｂには送られない。
【００３８】
第二冷却部２２は、第二貯留タンク２１Ｂ内に流入したガスを冷却して該ガスに含まれる蒸気（凝縮性ガス）を凝縮させるものである。第二冷却部２２は、循環配管２２Ａと、熱交換器２２Ｂと、冷却ポンプ２２Ｃと、散水機（散水部）２２Ｄと、第二冷却開閉弁２２Ｅ，２２Ｆと、を有している。
【００３９】
循環配管２２Ａは、一端が第二貯留タンク２１Ｂの下部にて第二貯留タンク２１Ｂの内部に接続され、他端が第二貯留タンク２１Ｂの上部にて第二貯留タンク２１Ｂの内部に接続されて、第二貯留タンク２１Ｂを含みループ状に設けられている。本実施形態において、循環配管２２Ａは、上述した第一冷却部１２における循環配管１２Ａの一部を共有して構成されている。具体的に、循環配管２２Ａは、循環配管１２Ａにおいて熱交換器１２Ｂと第一冷却開閉弁１２Ｅとの間に一端が接続されて他端が第二貯留タンク２１Ｂの上部にて第二貯留タンク２１Ｂの内部に接続された冷却配管２２Ａａを有している。また、循環配管２２Ａは、一端が第二貯留タンク２１Ｂの下部にて第二貯留タンク２１Ｂの内部に接続されて他端が循環配管１２Ａにおいて冷却ポンプ１２Ｃと第一冷却開閉弁１２Ｆとの間に接続された冷却配管２２Ａｂを有している。すなわち、循環配管２２Ａは、冷却配管２２Ａａ，２２Ａｂを有することで、第一冷却部１２における循環配管１２Ａの一部と熱交換器１２Ｂおよび冷却ポンプ１２Ｃとを共有して構成されている。
【００４０】
熱交換器２２Ｂは、循環配管２２Ａの途中に設けられており、冷却水が供給されるケーシングの内部に循環配管２２Ａの途中に介在された伝熱管が設けられている。熱交換器２２Ｂに供給される冷却水は、例えば、海水や湖水などがあり、図示しない冷却水供給ポンプにより供給されてケーシングの内部を経て海や湖に戻される。この熱交換器２２Ｂは、上述したように第一冷却部１２における熱交換器１２Ｂを共有して構成されている。なお、熱交換器２２Ｂと熱交換器２２Ｂに供給される冷却水の間に中間冷却のための熱交換器を介在させてもよい。中間冷却のための熱交換器に供給される冷却水は例えば純水などがある。
【００４１】
冷却ポンプ２２Ｃは、循環配管２２Ａの途中に設けられており、第二貯留タンク２１Ｂの下部に貯留された流体を循環配管２２Ａにより熱交換器２２Ｂを経由して第二貯留タンク２１Ｂの上部に戻す。従って、第二貯留タンク２１Ｂの下部に貯留された流体は、冷却ポンプ２２Ｃにより循環配管２２Ａに送られて熱交換器２２Ｂを経由して冷却され第二貯留タンク２１Ｂの上部に戻される。この冷却ポンプ２２Ｃは、上述したように第一冷却部１２における冷却ポンプ１２Ｃを共有して構成されている。
【００４２】
散水機２２Ｄは、いわゆるシャワーであって、第二貯留タンク２１Ｂの内部の上部に設けられて循環配管２２Ａ（冷却配管２２Ａａ）の他端に接続されている。従って、冷却ポンプ２２Ｃにより循環配管２２Ａに送られて第二貯留タンク２１Ｂの上部に戻された流体は、散水機２２Ｄにより第二貯留タンク２１Ｂの下部に向けて散水される。上述したように、第二貯留タンク２１Ｂには、ガス導入部を通じて、格納容器１００の内部のガスに含まれる蒸気が送られる。従って、蒸気は、散水機２２Ｄにより散水された流体により凝縮されて凝縮水となる。この凝縮水は、第二貯留タンク２１Ｂの下部に溜められ、冷却ポンプ２２Ｃにより循環配管２２Ａに送られて熱交換器２２Ｂを経由して冷却され第二貯留タンク２１Ｂの上部に戻される冷却用の流体となる。
【００４３】
第二冷却開閉弁２２Ｅは、循環配管２２Ａにおいて熱交換器２２Ｂよりも他端側（下流側；第二貯留タンク２１Ｂの上部側）となる冷却配管２２Ａａに設けられている。また、第二冷却開閉弁２２Ｆは、循環配管２２Ａにおいて冷却ポンプ２２Ｃよりも一端側（上流側；第二貯留タンク２１Ｂの下部側）となる冷却配管２２Ａｂに設けられている。これら、第二冷却開閉弁２２Ｅ，２２Ｆは、開動作により循環配管２２Ａを開放し、閉動作により循環配管２２Ａを閉塞する。また、第二冷却開閉弁２２Ｅ，２２Ｆは、自動弁であり、開信号の入力により開動作する一方、閉信号の入力により閉動作する。また、第二冷却開閉弁２２Ｅ，２２Ｆは、自動弁ではなくてもよい。従って、第二冷却開閉弁２２Ｅ，２２Ｆが開動作して循環配管２２Ａが開放されることで、循環配管２２Ａを介して第二貯留タンク２１Ｂの内部の凝縮水が循環されつつ熱交換器２２Ｂにより冷却される。また、第二冷却開閉弁２２Ｅ，２２Ｆが閉動作して循環配管２２Ａが閉塞されることで、第二貯留タンク２１Ｂの内部の凝縮水は循環や冷却されない。また、第二冷却開閉弁２２Ｅは、熱交換器２２Ｂと第二貯留タンク２１Ｂの上部との間で循環配管２２Ａを開放または閉塞する。また、第二冷却開閉弁２２Ｆは、第二貯留タンク２１Ｂの下部と冷却ポンプ２２Ｃとの間で循環配管２２Ａを開放または閉塞する。
【００４４】
第二凝縮水送出部２３は、送出配管２３Ａと、送出ポンプ２３Ｂと、送出開閉弁２３Ｃ，２３Ｄと、逆止弁２３Ｅと、を有する。送出配管２３Ａは、一端が第二貯留タンク２１Ｂの下部にて第二貯留タンク２１Ｂの内部に接続され、他端が格納容器１００の内部に至り設けられている。本実施形態において、送出配管２３Ａは、上述した第一凝縮水送出部１３における送出配管１３Ａの一部を共有して構成されている。具体的に、送出配管２３Ａは、一端が第二貯留タンク２１Ｂの下部にて第二貯留タンク２１Ｂの内部に接続され、他端が送出配管１３Ａにおいて送出ポンプ１３Ｂと送出開閉弁１３Ｃとの間に接続された接続送出配管２３Ａａを有している。すなわち、送出配管２３Ａは、接続送出配管２３Ａａを有することで、第一凝縮水送出部１３における送出配管１３Ａの一部と送出ポンプ１３Ｂと送出開閉弁１３Ｄと逆止弁１３Ｅとを共有して構成されている。
【００４５】
送出ポンプ２３Ｂは、送出配管２３Ａの途中に設けられており、第二貯留タンク２１Ｂの下部に貯留された凝縮水を送出配管２３Ａにより格納容器１００の内部に送り出す。この送出ポンプ２３Ｂは、上述したように第一凝縮水送出部１３における送出ポンプ１３Ｂを共有して構成されている。
【００４６】
送出開閉弁２３Ｃは、送出配管２３Ａにおいて送出ポンプ２３Ｂよりも一端側（第二貯留タンク２１Ｂ側）に設けられている。また、送出開閉弁２３Ｄは、送出配管２３Ａにおいて送出ポンプ２３Ｂよりも他端側（格納容器１００側）であって格納容器１００の外部に並んで設けられている。これら、送出開閉弁２３Ｃ，２３Ｄは、開動作により送出配管２３Ａを開放し、閉動作により送出配管２３Ａを閉塞する。また、送出開閉弁２３Ｃ，２３Ｄは、自動弁であり、開信号の入力により開動作する一方、閉信号の入力により閉動作する。また、送出開閉弁２３Ｃは、自動弁ではなくてもよい。従って、送出開閉弁２３Ｃ，２３Ｄが開動作して送出配管２３Ａが開放されることで、送出配管２３Ａを介して第二貯留タンク２１Ｂの内部の凝縮水が格納容器１００に送り出される。また、送出開閉弁２３Ｃ，２３Ｄのいずれか１つが閉動作して送出配管２３Ａが閉塞されることで、第二貯留タンク２１Ｂの内部の凝縮水は格納容器１００に送り出されない。送出開閉弁２３Ｃは、第二貯留タンク２１Ｂの下部と送出ポンプ２３Ｂとの間で送出配管２３Ａを開放または閉塞する。また、送出開閉弁２３Ｄは、送出ポンプ２３Ｂと格納容器１００との間で送出配管２３Ａを開放または閉塞する。送出開閉弁２３Ｄは、最も格納容器１００寄りに設けられて格納容器１００を外部から隔離する隔離弁として機能する。送出開閉弁２３Ｄは、上述したように、第一凝縮水送出部１３における送出開閉弁１３Ｄを共有して構成されている。
【００４７】
逆止弁２３Ｅは、格納容器１００の内部において送出配管２３Ａの他端に接続されている。逆止弁２３Ｅは、送出配管２３Ａの他端から格納容器１００の内部に送り出される凝縮水を格納容器１００の内部に流出させるが、格納容器１００の内部の流体を送出配管２３Ａの他端から格納容器１００の外部に漏らさない。従って、逆止弁２３Ｅは、格納容器１００を内部から隔離する隔離弁として機能する。逆止弁２３Ｅは、上述したように、第一凝縮水送出部１３における逆止弁１３Ｅを共有して構成されている。
【００４８】
第二貯留部水位検出部２４は、第二貯留部２１における第二貯留タンク２１Ｂに貯留される凝縮水の水位を検出する。第二貯留部圧力検出部２５は、第二貯留部２１における第二貯留タンク２１Ｂの内部の圧力を検出する。
【００４９】
排気部３１は、分岐排気配管３１Ａと、排気筒３１Ｂと、分岐排気開閉弁３１Ｃと、絞弁３１Ｄと、放射線検出部３１Ｅと、を有している。分岐排気配管３１Ａは、排気配管３の端部に分岐して設けられている。具体的に、分岐排気配管３１Ａは、排気配管３において、排気開閉弁３Ｂと、第一貯留部１１の第一貯留配管１１Ａおよび第二貯留部２１の第二貯留配管２１Ａが接続されている部分との間に分岐して設けられている。なお、分岐排気配管３１Ａは、第一貯留部１１の第一貯留配管１１Ａにおいて、排気配管３に接続されている部分と、第一貯留開閉弁１１Ｃとの間に分岐して設けられていてもよい。すなわち、分岐排気配管３１Ａは、少なくとも第一貯留部１１の第一貯留タンク１１Ｂに接続できるように設けられている。
【００５０】
排気筒３１Ｂは、いわゆる煙突であり、分岐排気配管３１Ａの先端（終端）に設けられている。分岐排気開閉弁３１Ｃは、分岐排気配管３１Ａの途中に設けられ、開動作により分岐排気配管３１Ａを開放し、閉動作により分岐排気配管３１Ａを閉塞する。また、分岐排気開閉弁３１Ｃは、自動弁であり、開信号の入力により開動作する一方、閉信号の入力により閉動作する。また、分岐排気開閉弁３１Ｃは、自動弁ではなくてもよい。従って、分岐排気開閉弁３１Ｃが開動作して分岐排気配管３１Ａが開放されることで、分岐排気配管３１Ａを介して排気配管３側と排気筒３１Ｂとが連通する。また、分岐排気開閉弁３１Ｃが閉動作して分岐排気配管３１Ａが閉塞されることで、分岐排気配管３１Ａを介して排気配管３側と排気筒３１Ｂとが連通しない。
【００５１】
絞弁３１Ｄは、分岐排気配管３１Ａの途中に設けられた、例えば、オリフィスからなり、分岐排気配管３１Ａを通過する流体の流量を抑制する。絞弁３１Ｄは、分岐排気配管３１Ａにおいて、排気配管３に接続されている部分と、分岐排気開閉弁３１Ｃとの間に設けられている。なお、絞弁３１Ｄは、分岐排気配管３１Ａにおいて、排気筒３１Ｂと、分岐排気開閉弁３１Ｃとの間に設けられていてもよい。放射線検出部３１Ｅは、分岐排気配管３１Ａの途中に設けられ、分岐排気配管３１Ａを通過する流体の放射線量を検出する。放射線検出部３１Ｅは、分岐排気配管３１Ａにおいて、排気筒３１Ｂと、分岐排気開閉弁３１Ｃとの間に設けられている。
【００５２】
第一貯留部圧力排出部３２は、第一貯留タンク（希ガス貯留タンク）１１Ｂの過圧を防止するための回路であり、圧力逃がし弁３２Ａと、圧力逃がし配管３２Ｂと、噴出配管（出口）３２Ｃと、を有する。圧力逃がし弁３２Ａは、いわゆる機械式の安全弁であり、図示は省略したが、第一貯留タンク１１Ｂと圧力逃がし配管３２Ｂとを連通する開口の周囲に形成される弁座と、この弁座に当接自在に配置されて開口を開閉する弁体と、この弁体を弁座に押し付ける方向に付勢するばね体（付勢部材）等を備えて構成される。第一貯留タンク１１Ｂの内圧が上昇すると、この内圧がばね体の付勢力に抗って弁体を開く方向に作用する。内圧が付勢力よりも大きくなると、弁体が弁座から離間して開弁することにより、第一貯留タンク１１Ｂ内のガスが開口を通じて、圧力逃がし配管３２Ｂに排出される。一方、内圧が付勢力よりも小さくなると、ばね体の付勢力が弁体を閉じる方向に作用する。これにより、弁体が弁座に押し付けられることで閉弁することにより、第一貯留タンク１１Ｂから圧力逃がし配管３２Ｂへのガスの排出が終了する。ばね体の付勢力は、例えば、第一貯留タンク１１Ｂの許容上限圧力値に設定されており、第一貯留タンク１１Ｂの内圧は、この許容上限圧力値以下に保たれる。
【００５３】
圧力逃がし配管３２Ｂは、圧力逃がし弁３２Ａを介して、第一貯留タンク１１Ｂと第二貯留タンク（凝縮水貯留タンク）２１Ｂとを接続している。このため、圧力逃がし弁３２Ａを通じて第一貯留タンク１１Ｂから排出されたガスは、圧力逃がし配管３２Ｂにより、第二貯留タンク２１Ｂに送られる。
【００５４】
噴出配管３２Ｃは、圧力逃がし配管３２Ｂの出口として機能する配管である。噴出配管３２Ｃは、管壁に複数の孔部３２Ｃ１を備えた多孔配管で構成され、本実施形態では、第二貯留タンク２１Ｂに貯留された水（凝縮水）の液相に配置される。
【００５５】
第二貯留部圧力排出部３３は、第二貯留タンク（凝縮水貯留タンク）２１Ｂの過圧を防止するための回路であり、圧力逃がし弁３３Ａと、圧力逃がし配管３３Ｂと、を有する。圧力逃がし弁３３Ａは、上述した第一貯留部圧力排出部３２の圧力逃がし弁３２Ａと同様に、いわゆる機械式の安全弁である。圧力逃がし弁３３Ａの構成は、圧力逃がし弁３２Ａと同等であるので説明を省略する。圧力逃がし配管３３Ｂは、圧力逃がし弁３３Ａを介して、第二貯留タンク２１Ｂと吸着部３４とを接続している。このため、圧力逃がし弁３３Ａを通じて第二貯留タンク２１Ｂから排出されたガスは、圧力逃がし配管３３Ｂにより、吸着部３４に送られる。
【００５６】
吸着部３４は、第二貯留部圧力排出部３３の圧力逃がし弁３３Ａが作動（開弁）した際の安全装置として機能するものである。吸着部３４は、圧力逃がし配管３３Ｂを通じて流入したガスから放射性希ガスを吸着する吸着装置３４Ａと、該ガス中の水分を捕捉する除湿装置３４Ｂとを有する。キセノン（Ｘｅ）やクリプトン（Ｋｒ）のような希ガスは、活性炭に吸着されることが知られている。このため、吸着装置３４Ａは、ケーシングの内部に活性炭（チャコールフィルタ）を備え、この活性炭を通過する際に放射性希ガスが吸着される。また、活性炭は、湿度（水分）によって、吸着性能が低減するため、吸着装置３４Ａの上流側（入口側）に除湿装置３４Ｂが設けられている。この除湿装置３４Ｂは、例えば、ケーシングの内部にシリカゲルなどの吸湿材を収容し、この吸湿材がガス中の湿度（水分）を除去する。また、除湿装置３４Ｂは、冷媒を圧縮、凝縮、膨張、蒸発の冷凍サイクルで循環させる冷凍装置を備え、ケーシングの内部に冷凍装置の蒸発器を配置する構成としてもよい。この構成では、蒸発器において、圧力逃がし配管３３Ｂを通じて流入するガスと冷媒との熱交換によりガスが冷却される。このため、ガスに含まれる水分が凝縮することで、結果としてガス中の湿度（水分）を除去することができる。
【００５７】
図２は、本実施形態に係る格納容器保全設備の制御系のブロック図である。上述した構成の格納容器保全設備５０は、制御部４１により統括して制御される。制御部４１は、ＣＰＵ（Central  Processing  Unit）のようなマイクロプロセッサ、ＲＯＭやＲＡＭのようなメモリおよびストレージを含む。制御部４１は、図２に示すように、格納容器圧力検出部１、第一貯留部水位検出部１４、第一貯留部圧力検出部１５、第二貯留部水位検出部２４、第二貯留部圧力検出部２５、放射線検出部３１Ｅからの検出の信号を入力することで、熱交換器１２Ｂ，２２Ｂの冷却水供給ポンプ、第一冷却開閉弁１２Ｅ，１２Ｆ、冷却ポンプ１２Ｃ，２２Ｃ、排気開閉弁３Ａ，３Ｂ、第一貯留開閉弁１１Ｃ、送出開閉弁１３Ｃ、送出開閉弁１３Ｄ，２３Ｄ、送出ポンプ１３Ｂ，２３Ｂ、第二冷却開閉弁２２Ｅ，２２Ｆ、第二貯留開閉弁２１Ｃ、送出開閉弁２３Ｃ、分岐排気開閉弁３１Ｃを駆動する信号を出力する。
【００５８】
以下、図３〜図９の本実施形態に係る格納容器保全設備の動作図を参照し、制御部４１による格納容器保全設備５０の動作手順を説明する。
【００５９】
事故前においては、図３に示すように、制御部４１は、熱交換器１２Ｂ，２２Ｂの冷却水供給ポンプ、冷却ポンプ１２Ｃ，２２Ｃ、送出ポンプ１３Ｂ，２３Ｂを停止する信号を出力しており、かつ第一冷却開閉弁１２Ｅ，１２Ｆ、排気開閉弁３Ａ，３Ｂ、第一貯留開閉弁１１Ｃ、送出開閉弁１３Ｃ、送出開閉弁１３Ｄ，２３Ｄ、第二冷却開閉弁２２Ｅ，２２Ｆ、第二貯留開閉弁２１Ｃ、送出開閉弁２３Ｃ、分岐排気開閉弁３１Ｃを閉動作する閉信号を出力している。
【００６０】
原子炉の炉心が損傷するようなシビアアクシデントの事故が発生した場合、炉心損傷後は格納容器１００の内部に冷却水を供給するような格納容器１００を防護する複数の対策を講じる。しかし、複数の格納容器防護対策を実施しても事象進展を止められず、格納容器１００の内部の圧力が設計の限界圧力近くに到達する。
【００６１】
従って、シビアアクシデントの事故時において、制御部４１は、熱交換器１２Ｂに冷却水を供給するため冷却水供給ポンプを駆動させる駆動信号を出力する。また、制御部４１は、第一貯留タンク１１Ｂの水を循環させるため第一冷却開閉弁１２Ｅ，１２Ｆを開動作させる開信号を出力する。また、制御部４１は、冷却ポンプ１２Ｃを駆動する駆動信号を出力する。すなわち、図４に示すように、第一冷却部１２において、第一貯留タンク１１Ｂを含むループ状の循環配管１２Ａに、第一貯留タンク１１Ｂの下部に貯留された水が循環し、熱交換器１２Ｂを経由して冷却されて第一貯留タンク１１Ｂの上部に戻される。
【００６２】
その後、格納容器圧力検出部１により検出する格納容器１００の内部の圧力が設計の限界圧力となった場合、制御部４１は、排気開閉弁３Ａ，３Ｂ、第一貯留開閉弁１１Ｃを開動作させる開信号を出力する。すなわち、図５に示すように、フィルタユニット２を通過して放射性よう素や粒子状の放射性物質が除去された格納容器１００の内部のガス（凝縮性ガスである蒸気、および、非凝縮性ガスである空気や放射性希ガスなどを含むガス）が第一貯留タンク１１Ｂに送られる。そして、第一貯留タンク１１Ｂの内部では、空気、放射性希ガスなどの非凝縮性ガスが貯留される一方、第一冷却部１２により循環する水で蒸気が冷却されて凝縮された凝縮水として溜まる。
【００６３】
第一貯留タンク１１Ｂに蒸気を受け入れている際、凝縮した水分でタンク水位が上昇する。よって、第一貯留部水位検出部１４により検出する第一貯留タンク１１Ｂに貯留される凝縮水の水位が所定水位を超えた場合、制御部４１は、第一凝縮水送出部１３の送出開閉弁１３Ｃ，１３Ｄを開動作させる開信号を出力する。また、制御部４１は、第一凝縮水送出部１３の送出ポンプ１３Ｂを駆動させる信号を出力する。すなわち、図６に示すように、第一貯留タンク１１Ｂに貯留される凝縮水が格納容器１００に送り出される。また、第一貯留部水位検出部１４により検出する第一貯留タンク１１Ｂに貯留される凝縮水の水位が所定水位まで下がった場合、制御部４１は、第一凝縮水送出部１３の送出ポンプ１３Ｂを停止させる信号を出力し、送出開閉弁１３Ｃ，１３Ｄを閉動作させる閉信号を出力する（図５に示す動作に戻る）。この動作を繰り返すことで、第一貯留タンク１１Ｂに貯留される凝縮水の水位を所定水位に維持する。
【００６４】
第一貯留タンク１１Ｂは、最初大気圧であるが、非凝縮性ガスを貯留するに伴い圧力が上昇する。よって、第一貯留部圧力検出部１５により検出する第一貯留タンク１１Ｂの内部の圧力が、格納容器圧力検出部１により検出する格納容器１００の内部の圧力とほぼ同じになり、格納容器１００の内部の圧力と第一貯留タンク１１Ｂの内部の圧力とが均圧した場合、格納容器１００で発生した放射性希ガスは、全量が第一貯留タンク１１Ｂに送られて貯留されたものとみなす（比較的事故初期において放射性希ガスは格納容器１００の内部に全量放出される）。この場合、制御部４１は、第一貯留開閉弁１１Ｃを閉動作させる閉信号を出力する。すなわち、格納容器１００から第一貯留タンク１１Ｂへのガスの送りを停止する。
【００６５】
格納容器１００で発生した非凝縮性ガスの全量を第一貯留タンク１１Ｂに送っても、凝縮性ガスである蒸気の発生により格納容器１００の内部の圧力は限界圧力は超えないものの上昇する。よって、第一貯留開閉弁１１Ｃを閉動作させる閉信号を出力して格納容器１００から第一貯留タンク１１Ｂへのガスの送りを停止した後、制御部４１は、熱交換器２２Ｂに冷却水を供給するため冷却水供給ポンプを駆動させる駆動信号を出力する（熱交換器２２Ｂが熱交換器１２Ｂを共有する場合は熱交換器１２Ｂに駆動信号を出力しているため不要）。また、制御部４１は、第一貯留タンク１１Ｂの水の循環を停止させるため冷却ポンプ１２Ｃを停止させる停止信号を出力し、第一冷却開閉弁１２Ｅ，１２Ｆを閉動作させる閉信号を出力する。また、制御部４１は、第二貯留タンク２１Ｂの水を循環させるため第二冷却開閉弁２２Ｅ，２２Ｆを開動作させる開信号を出力する。また、制御部４１は、冷却ポンプ２２Ｃを駆動する駆動信号を出力する（冷却ポンプ２２Ｃが冷却ポンプ１２Ｃを共有する場合は冷却ポンプ１２Ｃに駆動信号を出力しているため不要）。また、制御部４１は、第二貯留開閉弁２１Ｃを開動作させる開信号を出力する。すなわち、図７に示すように、フィルタユニット２を通過して放射性よう素や粒子状の放射性物質が除去された格納容器１００の内部のガス（凝縮性ガスである蒸気および非凝縮性ガスである空気を含むガス）が第二貯留タンク２１Ｂに送られる。この場合、格納容器１００で発生した放射性希ガスの全量が第一貯留タンク１１Ｂに送られて貯留されているため、基本的に第二貯留タンク２１Ｂに放射性希ガスは送られない。さらに、図７に示すように、第二冷却部２２において、第二貯留タンク２１Ｂを含むループ状の循環配管２２Ａに、第二貯留タンク２１Ｂの下部に貯留された水が循環し、熱交換器２２Ｂを経由して冷却されて第二貯留タンク２１Ｂの上部に戻される。このため、第二貯留タンク２１Ｂの内部では、空気が貯留される一方、第二冷却部２２により循環する水で蒸気が冷却されて凝縮された凝縮水として溜まる。これにより、格納容器１００の圧力を低減させる。
【００６６】
ここで、第一貯留開閉弁１１Ｃは格納容器１００から第一貯留タンク１１Ｂへのガスの送りを開閉し、第二貯留開閉弁２１Ｃは格納容器１００から第二貯留タンク２１Ｂへのガスの送りを開閉しており、これら第一貯留開閉弁１１Ｃおよび第二貯留開閉弁２１Ｃの開閉により格納容器１００のガスの送りを第一貯留タンク１１Ｂや第二貯留タンク２１Ｂに切り換えることができる。従って、本実施形態の格納容器保全設備５０では、第一貯留開閉弁１１Ｃおよび第二貯留開閉弁２１Ｃは、格納容器１００のガスの送りを第一貯留タンク１１Ｂや第二貯留タンク２１Ｂに切り換える切換部として構成されている。
【００６７】
第二貯留タンク２１Ｂに蒸気を受け入れている際、凝縮した水分でタンク水位が上昇する。よって、第二貯留部水位検出部２４により検出する第二貯留タンク２１Ｂに貯留される凝縮水の水位が所定水位を超えた場合、制御部４１は、第二凝縮水送出部２３の送出開閉弁２３Ｃ，２３Ｄを開動作させる開信号を出力する。また、制御部４１は、第二凝縮水送出部２３の送出ポンプ２３Ｂを駆動させる信号を出力する。すなわち、図８に示すように、第二貯留タンク２１Ｂに貯留される凝縮水が格納容器１００に送り出される。また、第二貯留部水位検出部２４により検出する第二貯留タンク２１Ｂに貯留される凝縮水の水位が所定水位まで下がった場合、制御部４１は、第二凝縮水送出部２３の送出ポンプ２３Ｂを停止させる信号を出力し、送出開閉弁２３Ｃ，２３Ｄを閉動作させる閉信号を出力する（図７に示す動作に戻る）。この動作を繰り返すことで、第二貯留タンク２１Ｂに貯留される凝縮水の水位を所定水位に維持する。
【００６８】
第二貯留タンク２１Ｂは、最初大気圧であるが、非凝縮性ガスである空気を貯留するに伴い圧力が上昇する。よって、制御部４１は、第二貯留部圧力検出部２５により検出する第二貯留タンク２１Ｂの内部の圧力を管理する。そして、制御部４１は、格納容器圧力検出部１により検出する格納容器１００の内部の圧力の上昇が抑えられた場合、制御部４１は、開動作中の全ての開閉弁を閉作動する閉信号を出力すると共に、稼働中の全てのポンプを停止させる信号を出力する（図３に示す状態に戻す）。
【００６９】
その後、第一貯留タンク１１Ｂに貯留した放射性希ガスのうち、キセノンは半減期が短く、線量が高いので、１年以上減衰させ、無害化する。クリプトンはキセノンほど線量が高くないが、半減期が長いことから長期間、第一貯留タンク１１Ｂに貯留した状態で減衰させる。クリプトンを数年程度減衰させた後、放射線量を監視しながら第一貯留タンク１１Ｂに貯留したガスを管理放出する。この場合、制御部４１は、図３に示す状態から、第一貯留開閉弁１１Ｃおよび分岐排気開閉弁３１Ｃを開動作する開信号を出力する。すなわち、図９に示すように、大気圧よりも内部が高い圧力の第一貯留タンク１１Ｂに貯留されたガスが、第一貯留配管１１Ａから排気配管３の一部を経て分岐排気配管３１Ａに至り絞弁３１Ｄにて流量を抑制されつつ排気筒３１Ｂから大気に放出される。ただし、公衆被曝に影響しないように、放射線検出部３１Ｅにより検出される放射線量が影響のない範囲でなければ、制御部４１は、第一貯留開閉弁１１Ｃおよび分岐排気開閉弁３１Ｃを閉動作する閉信号を出力することで、図３に示す状態に戻しガスの放出を止める。
【００７０】
次に、上述した格納容器保全設備５０の動作において、格納容器１００のガスを第一貯留タンク１１Ｂへ送っている際に、第一貯留タンク１１Ｂの内圧が急激に上昇した場合の動作について説明する。図１０は、第一貯留タンクの内圧が許容上限圧力値を超えた場合の動作を説明する図であり、図１１は、第二貯留タンクの内圧が許容上限圧力値を超えた場合の動作を説明する図である。
【００７１】
図１０に示すように、格納容器１００の内部のガス（凝縮性ガスである蒸気、および、非凝縮性ガスである空気や放射性希ガスなどを含むガス）は、上述のように、第一貯留配管１１Ａおよび第一貯留開閉弁１１Ｃを通じて、第一貯留タンク１１Ｂに送られる。第一貯留タンク１１Ｂの内部では、空気、放射性希ガスなどの非凝縮性ガスが貯留される一方、散水機１２Ｄからの散水によって蒸気が凝縮されて凝縮水Ｗとして溜まる。蒸気を凝縮することで、第一貯留タンク１１Ｂ内の内圧が急激に上昇することを抑制している。
【００７２】
ここで、例えば、散水機１２Ｄの散水不良などの事情により、第一貯留タンク１１Ｂの内圧が急激に上昇することが想定される。この場合、第一貯留タンク１１Ｂの内圧が所定の許容上限圧力値よりも大きくなった場合、第一貯留タンク１１Ｂの圧力逃がし弁３２Ａが作動（開弁）して、第一貯留タンク１１Ｂ内のガスが排出される。本実施形態では、圧力逃がし弁３２Ａは、機械式の安全弁であるため、万一、停電などで電力供給が遮断された場合でも確実に作動して第一貯留タンク１１Ｂの破損を防止する。第一貯留タンク１１Ｂから排出されたガスは、圧力逃がし配管３２Ｂおよび噴出配管３２Ｃを通じて、第二貯留タンク２１Ｂに送られる。これにより、ガスに含まれる放射性希ガスが大気に放出されることを防止できる。また、格納容器１００から第一貯留タンク１１Ｂへガスが送られる際には、第二貯留開閉弁２１Ｃは閉じられており、第二貯留タンク２１Ｂ内は大気圧となっている。このため、第一貯留タンク１１Ｂから排出された高圧のガスを第二貯留タンク２１Ｂ内に受け入れることができる。この場合、制御部４１は、第二冷却開閉弁２２Ｅ，２２Ｆ（図７など参照）を開いて、散水機２２Ｄから散水を行い、第二貯留タンク２１Ｂに送られたガスの蒸気を凝縮させることが好ましい。
【００７３】
また、本実施形態では、噴出配管３２Ｃは、管壁に小さな孔部３２Ｃ１が多数形成された多孔配管であり、噴出配管３２Ｃは、第二貯留タンク２１Ｂ内の凝縮水Ｗの液相５１に配置されている。このため、第二貯留タンク２１Ｂに流入したガスは、噴出配管３２Ｃの孔部３２Ｃ１を通じて、凝縮水Ｗ中に噴出される。このため、噴出されたガスの圧力は、凝縮水Ｗの静水頭で吸収される。さらに、第二貯留タンク２１Ｂ内の気相５２の圧力緩衝作用により、第二貯留タンク２１Ｂ内に流入したガスによる圧力変動を抑制できる。
【００７４】
ここで、第一貯留タンク１１Ｂから第二貯留タンク２１Ｂへ高圧のガスの流入が継続すると、第二貯留タンク２１Ｂの内圧が上昇し、第二貯留タンク２１Ｂの内圧が所定の許容上限圧力値よりも大きくなる可能性もある。第二貯留タンク２１Ｂの内圧が所定の許容上限圧力値よりも大きくなった場合、図１１に示すように、第二貯留タンク２１Ｂの圧力逃がし弁３３Ａが作動（開弁）して、第二貯留タンク２１Ｂ内のガスが排出される。本実施形態では、圧力逃がし弁３３Ａは、機械式の安全弁であるため、万一、停電などで電力供給が遮断された場合でも確実に作動して第二貯留タンク２１Ｂの破損を防止する。第二貯留タンク２１Ｂから排出されたガスは、圧力逃がし配管３３Ｂを通じて、除湿装置３４Ｂに送られ、この除湿装置３４Ｂでガス中の水分が捕捉されて除湿される。除湿後のガスは、吸着装置３４Ａに送られ、この吸着装置３４Ａで流入したガスから放射性希ガスを吸着して除去する。そして、放射性希ガスが除去されたガスが大気に放出される。
【００７５】
本構成では、第一貯留タンク１１Ｂの圧力逃がし弁３２Ａが作動（開弁）した場合、第一貯留タンク１１Ｂ内のガスを第二貯留タンク２１Ｂに排出している。ここで、圧力逃がし弁３２Ａの下流側に放射性希ガスを吸着する吸着部を設ける構成も考えられる。しかし、第一貯留タンク１１Ｂから排出されるガスは、第二貯留タンク２１Ｂから排出されるガスに比べて高圧であるため大容量となる。このため、第一貯留タンク１１Ｂから排出されるガスの全量を処理できる吸着部を設けるには大容量の吸着装置（活性炭）が必要となる。これに対して、本構成では、第一貯留タンク１１Ｂ内のガスを第二貯留タンク２１Ｂに排出し、第二貯留タンク２１Ｂの圧力逃がし弁３３Ａが作動（開弁）した場合に吸着装置３４Ａに送っている。第二貯留タンク２１Ｂの圧力逃がし弁が作動する場合は、第一貯留タンク１１Ｂで格納容器１００の内部のガスを貯留した後であり、排出ガスの圧力及び流量も低下しているため、第一貯留タンク１１Ｂに設けるよりも小容量の吸着装置３４Ａを設ければよく、装置構成の簡素化を実現できる。
【００７６】
この構成では、第一貯留タンク１１Ｂの圧力逃がし弁３２Ａが作動することにより、第一貯留タンク１１Ｂおよび第二貯留タンク２１Ｂに放射性希ガスを含む非凝縮性ガスが貯留される。このため、第一貯留タンク１１Ｂおよび第二貯留タンク２１Ｂに放射性希ガスを貯留した状態で長期間減衰させ、放射線量を監視しながら第一貯留タンク１１Ｂおよび第二貯留タンク２１Ｂに貯留したガスを排気筒３１Ｂから大気に管理放出する。
【００７７】
次に、変形例について説明する。図１２は、変形例に係る第一貯留タンクと第二貯留タンクの内部構造を示す図である。上記した実施形態では、第一貯留タンク１１Ｂ、第二貯留タンク２１Ｂには、それぞれ第一貯留配管１１Ａ、第二貯留配管２１Ａが接続されてガスが流入する構成となっている。この構成では、第一貯留配管１１Ａ、第二貯留配管２１Ａを通じて、第一貯留タンク１１Ｂ、第二貯留タンク２１Ｂにそれぞれ集中して流入したガスが、温度差により偏って流れる偏流を発生させる。このため、散水機１２Ｄ，２２Ｄにより上方から散水したとしても、偏流によって散水が部分的に阻害され、流入したガス中の蒸気を効率良く冷却できないといった問題が想定される。
【００７８】
このため、図１２に示す変形例では、第一貯留タンク１１Ｂは、第一貯留タンク１１Ｂ内にガスを分散させて導入する第一ガス導入部６０を備え、第二貯留タンク２１Ｂは、第二貯留タンク２１Ｂ内にガスを分散させて導入する第二ガス導入部（ガス導入部）７０を備えている。第一ガス導入部６０は、ヘッダ６１と、このヘッダ６１に接続される多孔配管６２とを備える。ヘッダ６１は、第一貯留配管１１Ａを通じて供給されたガスを一時的に貯留して圧力の変動を抑える。多孔配管６２は、管壁に複数の小径の孔部６３を備え、本実施形態では第一貯留タンク１１Ｂの凝縮水Ｗの液相５３に配置されている。第二ガス導入部７０は、ヘッダ７１と、このヘッダ７１に接続される多孔配管７２とを備える。ヘッダ７１は、第二貯留配管２１Ａを通じて供給されたガスを一時的に貯留して圧力の変動を抑える。多孔配管７２は、管壁に複数の小径の孔部７３を備え、本実施形態では第二貯留タンク２１Ｂの凝縮水Ｗの液相５１に配置されている。
【００７９】
この構成では、第一ガス導入部６０および第二ガス導入部７０は、それぞれ多孔配管６２，７２の孔部６３，７３を通じて、ガスをタンク内に分散して導入するため、タンク内での偏流を抑え、流入したガス中の蒸気を効率良く冷却することができる。また、第一ガス導入部６０および第二ガス導入部７０は、多孔配管６２，７２が凝縮水Ｗの液相５３，５１に配置されているため、流入したガス中の蒸気をより効率良く冷却することができる。
【００８０】
このような構成において、第一貯留タンク１１Ｂは、圧力逃がし弁３２Ａと、圧力逃がし配管３２Ｂとを備え、この圧力逃がし配管３２Ｂの終端を、第二ガス導入部７０と、切換部としての第二貯留開閉弁２１Ｃとの間の第二貯留配管２１Ａ（排気配管３）に接続している。このため、第一貯留タンク１１Ｂの圧力逃がし弁３２Ａが作動（開弁）して、第一貯留タンク１１Ｂ内のガスが排出された場合、このガスは、圧力逃がし配管３２Ｂを介して第二ガス導入部７０に導かれ、第二ガス導入部７０の多孔配管７２の孔部７３を通じて、第二貯留タンク２１Ｂの凝縮水Ｗの液相５１に排出される。この構成では、フィルタユニット２を通過したガス、および、第一貯留タンク１１Ｂから圧力逃がし弁３２Ａを介して排出されたガスを、第二ガス導入部７０を通じて第二貯留タンク２１Ｂ内に導入でき、第二ガス導入部７０を共通化することができる。このため、格納容器保全設備５０の装置構成の簡素化を実現できる。また、第一貯留タンク１１Ｂから圧力逃がし弁３２Ａを介して排出された放射性希ガスを含むガスを受ける場合、第二貯留開閉弁２１Ｃは閉じられているため、放射性希ガスを含むガスが第二貯留タンク２１Ｂ以外に排出されることを防止できる。
【００８１】
この変形例では、多孔配管６２，７２を凝縮水Ｗの液相５３，５１に配置しているが、ガスをタンク内に分散して導入できるのであれば、多孔配管６２，７２を凝縮水Ｗの水面よりも上方の気相５４，５２に配置してもよい。また、多孔配管６２，７２の本数や、配置構成、孔部６３，７３などはタンク内にガスを略均等に分散できる範囲で変更してもよい。
【００８２】
さて、上述した動作において、第一貯留タンク１１Ｂへのガスの送りを停止する場合、格納容器１００の内部の圧力と第一貯留タンク１１Ｂの内部の圧力とが均圧したことを格納容器１００で発生した放射性希ガスの全量が第一貯留タンク１１Ｂに送られて貯留されたものとみなすとしている。このための構成について説明する。
【００８３】
図１３は、本実施形態に係る格納容器保全設備における第一貯留部の容量を設定するための説明図である。図１４は、本実施形態に係る格納容器保全設備における第一貯留部の容量を設定するためのグラフである。
【００８４】
放射性希ガスのキセノンやクリプトンは燃料ウランの核分裂に伴い発生するもので、燃料損傷してから比較的短時間の間に放射性希ガス全量が放出される。放射性希ガスは、格納容器１００の内部の空気と格納容器１００の内部で発生する蒸気に完全混合していると考えられ、空気、放射性希ガスなどの非凝縮性ガスは発生し続ける蒸気に随伴される形で第一貯留タンク１１Ｂに貯留される。格納容器１００の容量の全量の非凝縮性ガスが第一貯留タンク１１Ｂに貯留されると、非凝縮性ガス中に分散していた放射性希ガスも一緒に第一貯留タンク１１Ｂに貯留されるものとして第一貯留タンク１１Ｂの容量を設計する。
【００８５】
第一貯留タンク１１Ｂは、格納容器１００の全容量の非凝縮性ガスを貯留するのに必要な容量に設計される。第一貯留タンク１１Ｂに貯留する非凝縮性ガスの容積は、格納容器１００の内部の圧力で圧縮されるが、この容積は事故前の温度（室温）、圧力（大気圧）、容積（格納容器１００の容積と第一貯留タンク１１Ｂの容積）と事故後の温度（飽和蒸気温度）、圧力（格納容器１００の設計値圧力）、容積（第一貯留タンク１１Ｂの容積）によりボイル・シャルルの法則（ＰＶ／Ｔ＝一定）から要求が満たされる。具体的には、格納容器１００の容量は定数なので、事故後の格納容器１００の内部の圧力（設計値圧力）を設定すれば、必要な第一貯留タンク１１Ｂの容量を求めることができる。
【００８６】
本実施形態の格納容器保全設備５０では、図１３に示すように、事故前の原子炉定常運転において、格納容器１００は、内部の圧力Ｐ０は大気圧相当の０．１０１３ＭＰａ（ａ）、容量Ｖ０がＶ０ｍ３（原子力設備によって異なる）、内部の温度Ｔ０をＴ０℃とする。この場合、第一貯留タンク１１Ｂは、内部の圧力Ｐ１が大気圧相当の０．１０１３ＭＰａ（ａ）であり、容量Ｖ１がＶ１ｍ３、内部の温度Ｔ１をＴ１℃とする。そして、シビアアクシデントの事故後において、格納容器１００は、内部の圧力Ｐ’０を設計値としてＰ’０ＭＰａ（ａ）、容量Ｖ’０は変わらずＶ０ｍ３、内部の温度Ｔ’０をＴ’０℃とする。この場合、第一貯留タンク１１Ｂは、内部の圧力Ｐ’１をＰ’１ＭＰａ（ａ）、容量Ｖ’１を変わらずＶ１ｍ３、内部の温度Ｔ’１をＴ’１℃とする。
【００８７】
このことから、事故前後でボイル・シャルルの法則より下記（１）式の関係となる。
【００８８】
（Ｐ０・Ｖ０／Ｔ０）＋（Ｐ１・Ｖ１／Ｔ１）＝Ｐ’１・Ｖ’１／Ｔ’１…（１）
【００８９】
（１）式の左式が事故前の格納容器１００と第一貯留タンク１１ＢのＰＶ／Ｔを表し、右式が事故後の格納容器１００の内部の非凝縮性ガスが第一貯留タンク１１Ｂに移動した後のＰＶ／Ｔを表す。なお、第一貯留タンク１１Ｂの容量としては非凝縮性ガス以外に貯留する凝縮水量および水循環に必要な水量を上乗せする必要がある。
【００９０】
（１）式において、Ｐ０＝Ｐ１、Ｔ０＝Ｔ１、Ｖ１＝Ｖ’１を代入すると（２）式となる。
【００９１】
Ｖ１＝Ｐ０・Ｖ０・Ｔ’１／（Ｐ’１・Ｔ０−Ｐ０・Ｔ’１）…（２）
【００９２】
（２）式に上述した数値を代入すると、Ｖ１＝０．１０１３×Ｖ０×（２７３＋Ｔ’１）／（Ｐ’１×（２７３＋Ｔ０）−０．１０１３×（２７３＋Ｔ’１））となり、第一貯留タンク１１Ｂの容量Ｖ１は、格納容器１００の容量Ｖ０を代入し、初期の内部温度Ｔ０および貯留後の温度Ｔ’１を設定することで、事故後の第一貯留タンク１１Ｂの圧力Ｐ’１によって決まる。第一貯留タンク１１Ｂの圧力Ｐ’１と容量Ｖ１の関係は、図１４に示すように設計すると、第一貯留タンク１１Ｂの圧力Ｐ’１に応じた必要容量Ｖ１を求めることができる。このように第一貯留タンク１１Ｂの容量Ｖ１を設計することで、第一貯留タンク１１Ｂへのガスの送りを停止する場合、格納容器１００の内部の圧力と第一貯留タンク１１Ｂの内部の圧力とが均圧したことを格納容器１００で発生した非凝縮性ガスの全量が第一貯留タンク１１Ｂに送られて貯留されたものとみなすことができる。
【００９３】
なお、第一貯留タンク１１Ｂは、上述のごとく求めた容量Ｖ１のものを１つ備えていてもよいが、容量Ｖ１をいくつかに分けて複数として、これを並列に接続してもよい。格納容器１００から複数の第一貯留タンク１１Ｂへのガスの供給は、複数の第一貯留タンク１１Ｂに同時に行ってもよく、各第一貯留タンク１１Ｂに順に行ってもよい。
【００９４】
以上、説明したように、本実施形態の格納容器保全設備５０は、炉心を収容する原子炉圧力容器１０１を気密状態で格納する格納容器１００の内部のガスから放射性よう素や粒子状の放射性物質を除去するフィルタユニット２と、フィルタユニット２に接続されて格納容器１００の外部に引き出されて設けられた排気配管３と、格納容器１００の外部で排気配管３に接続され、ガス中の放射性希ガスを貯留する第一貯留タンク１１Ｂと、第一貯留タンク１１Ｂと並列して格納容器１００の外部で排気配管３に接続され、ガス中の蒸気を凝縮させた凝縮水を貯留する第二貯留タンク２１Ｂと、フィルタユニット２を通過したガスの送り先を第一貯留タンク１１Ｂまたは第二貯留タンク２１Ｂに切り換える切換部としての第一貯留開閉弁１１Ｃ、第二貯留開閉弁２１Ｃと、第一貯留タンク１１Ｂに設けられ、該第一貯留タンク１１Ｂの内圧が所定値以上に上昇した際に開弁する圧力逃がし弁３２Ａと、圧力逃がし弁３２Ａに接続される圧力逃がし配管３２Ｂと、圧力逃がし配管３２Ｂの出口としての噴出配管３２Ｃとを備え、この噴出配管３２Ｃを第二貯留タンク２１Ｂの内部に設けたものである。
【００９５】
この構成によれば、第一貯留タンク１１Ｂには、該第一貯留タンク１１Ｂの内圧が所定値以上に上昇した際に開弁する圧力逃がし弁３２Ａと、圧力逃がし弁３２Ａに接続される圧力逃がし配管３２Ｂと、圧力逃がし配管３２Ｂの出口としての噴出配管３２Ｃとを備え、この噴出配管３２Ｃを第二貯留タンク２１Ｂの内部に設けたため、第一貯留タンク１１Ｂの内圧が上昇して圧力逃がし弁３２Ａが開弁した場合であっても、第一貯留タンク１１Ｂから排出された放射性希ガスを含むガスは、圧力逃がし配管３２Ｂ、噴出配管３２Ｃを通じて、第二貯留タンク２１Ｂに流入される。従って、放射性希ガスが大気に放出されることを防止できる。
【００９６】
また、本実施形態によれば、圧力逃がし配管３２Ｂの出口としての噴出配管３２Ｃは、第二貯留タンク２１Ｂに貯留された凝縮水Ｗの液相５１に設けられるため、第二貯留タンク２１Ｂに放射性希ガスを含むガスが流入した際に、この流入したガスの圧力を第二貯留タンク２１Ｂに貯留された凝縮水Ｗの静水頭で吸収することができる。さらに、第二貯留タンク２１Ｂ内の気相５２が圧力緩衝作用を生じることにより、流入したガスによる圧力変動を抑制できる。
【００９７】
また、本実施形態によれば、格納容器保全設備５０は、第二貯留タンク２１Ｂの内部にガスを分散させて導入する第二ガス導入部７０を備え、圧力逃がし配管３２Ｂの終端（出口）は、第二ガス導入部７０と切換部としての第二貯留開閉弁２１Ｃとの間の第二貯留配管２１Ａ（排気配管３）に接続されているため、フィルタユニット２を通過したガス、及び、第一貯留タンク１１Ｂから圧力逃がし弁３２Ａを介して排出された放射性希ガスを含むガスを、第二貯留タンク２１Ｂ内に導入する際に、第二ガス導入部７０を共通化することができる。このため、格納容器保全設備５０の装置構成の簡素化を実現できる。
【００９８】
また、本実施形態によれば、第二貯留タンク２１Ｂは、該第二貯留タンク２１Ｂの内圧が所定値以上に上昇した際に開弁する圧力逃がし弁３３Ａを備えるため、第二貯留タンク２１Ｂの内圧が急激に上昇しても該第二貯留タンク２１Ｂの破損を防止できる。
【００９９】
また、本実施形態によれば、第二貯留タンク２１Ｂの圧力逃がし弁３３Ａの下流側には、放射性希ガスを吸着する吸着部３４が設けられるため、第二貯留タンク２１Ｂに放射性希ガスを含むガスが流入したことに伴い、第二貯留タンク２１Ｂの圧力逃がし弁３３Ａが開弁した場合であっても、第二貯留タンク２１Ｂから排出される放射性希ガスは、吸着部３４によって吸着されるため、該放射性希ガスが大気に放出されることを防止できる。
【０１００】
以上、本発明の一実施形態について説明したが、上記実施形態は、例として提示したものであり、発明の範囲を限定することは意図していない。例えば、本実施形態では、圧力逃がし配管３２Ｂの出口としての噴出配管３２Ｃは、第二貯留タンク２１Ｂの凝縮水Ｗの液相５１に配置する構成が好適ではあるが、第二貯留タンク２１Ｂ内に配置されていれば、第二貯留タンク２１Ｂの気相に配置してもよい。
【符号の説明】
【０１０１】
１  格納容器圧力検出部
２  フィルタユニット
３  排気配管
１１  第一貯留部
１１Ａ  第一貯留配管
１１Ｂ  第一貯留タンク（希ガス貯留タンク）
１１Ｃ  第一貯留開閉弁
２１  第二貯留部
２１Ａ  第二貯留配管
２１Ｂ  第二貯留タンク（凝縮水貯留タンク）
２１Ｃ  第二貯留開閉弁
３２  第一貯留部圧力排出部
３２Ａ  圧力逃がし弁
３２Ｂ  圧力逃がし配管
３２Ｃ  噴出配管（出口）
３２Ｃ１  孔部
３３  第二貯留部圧力排出部
３３Ａ  圧力逃がし弁
３３Ｂ  圧力逃がし配管
３４    吸着部
３４Ａ  吸着装置
３４Ｂ  除湿装置
４１  制御部
５０  格納容器保全設備
５１、５３  液相
５２、５４  気相
６０  第一ガス導入部
６１  ヘッダ
６２  多孔配管
６３  孔部
７０  第二ガス導入部
７１  ヘッダ
７２  多孔配管
７３  孔部
１００  格納容器
１０１  原子炉圧力容器
Ｗ  水、凝縮水
【図１】
2018169250.tif 000003
【図２】
2018169250.tif 000004
【図３】
2018169250.tif 000005
【図４】
2018169250.tif 000006
【図５】
2018169250.tif 000007
【図６】
2018169250.tif 000008
【図７】
2018169250.tif 000009
【図８】
2018169250.tif 000010
【図９】
2018169250.tif 000011
【図１０】
2018169250.tif 000012
【図１１】
2018169250.tif 000013
【図１２】
2018169250.tif 000014
【図１３】
2018169250.tif 000015
【図１４】
2018169250.tif 000016